【手続補正書】
【提出日】平成15年9月16日(2003.9.16)
【手続補正１】
【補正対象書類名】明細書
【補正対象項目名】特許請求の範囲
【補正方法】変更
【補正の内容】
【特許請求の範囲】
【請求項１】
追記型記録媒体に情報を記録する情報記録装置において、
前記追記型記録媒体に終了処理を行う終了処理手段と、
前記情報記録装置への電力供給状態を判別する電力供給判別手段と、
を備え、
前記電力供給判別手段は、電力が電池によって供給されるか、ＡＣ電源によって供給されるかを判別し、
電力がＡＣ電源によって供給される場合に、前記終了処理手段が終了処理を行うことを特徴とする情報記録装置。
【請求項２】
追記型情報記録媒体に情報を記録する情報記録装置において、
前記追記型記録媒体に対して記録した情報を再生専用装置で再生できるフォーマットに変換する変換手段と、
前記情報記録装置への電力供給状態を判別する電力供給判別手段と、
を備え、
前記電力供給判別手段は、電力が電池によって供給されるか、ＡＣ電源によって供給されるかを判別し、
電力がＡＣ電源によって供給される場合に、前記変換手段が前記追記型記録媒体に対して記録した情報を前記フォーマットに変換することを特徴とする情報記録装置。
【請求項３】
追記型情報記録媒体に情報を記録する情報記録装置において、
前記追記型記録媒体に対してファイナライズを行うファイナライズ手段と、
前記情報記録装置への電力供給状態を判別する電力供給判別手段と、
を備え、
前記電力供給判別手段は、電力が電池によって供給されるか、ＡＣ電源によって供給されるかを判別し、
電力がＡＣ電源によって供給される場合に、前記ファイナライズ手段が前記追記型記録媒体に対してファイナライズを行うことを特徴とする情報記録装置。
【請求項４】
追記型記録媒体に情報を記録する情報記録装置において、
前記追記型記録媒体に終了処理を行う終了処理手段と、
前記情報記録装置への電力供給状態を判別する電力供給判別手段と、
を備え、
前記電力供給判別手段は、電力が電池によって供給されるか、ＡＣ電源によって供給されるかを判別し、
電力供給が電池によって供給される場合には、前記終了処理手段は終了処理を行わないことを特徴とする情報記録装置。
【請求項５】
追記型情報記録媒体に情報を記録する情報記録装置において、
前記追記型記録媒体に対して記録した情報を再生専用装置で再生できるフォーマットに変換する変換手段と、
前記情報記録装置への電力供給状態を判別する電力供給判別手段と、
を備え、
前記電力供給判別手段は、電力が電池によって供給されるか、ＡＣ電源によって供給されるかを判別し、
電力が電池によって供給される場合には、前記変換手段は前記追記型記録媒体に対して記録した情報を前記フォーマットに変換しないことを特徴とする情報記録装置。
【請求項６】
追記型情報記録媒体に情報を記録する情報記録装置において、
前記追記型記録媒体に対してファイナライズを行うファイナライズ手段と、
前記情報記録装置への電力供給状態を判別する電力供給判別手段と、
を備え、
前記電力供給判別手段は、電力が電池によって供給されるか、ＡＣ電源によって供給されるかを判別し、
電力が電池によって供給される場合には、前記ファイナライズ手段は前記追記型記録媒体に対してファイナライズを行わないことを特徴とする情報記録装置。
【請求項７】
請求項４〜６のいずれか１項に記載の情報記録装置において、
通知手段を備え、
前記電力が電池にて供給されていると判別した場合には、
前記通知手段にて、ＡＣ電源にて電源供給するように通知すること特徴とする情報記録装置。
【請求項８】
追記型記録媒体に情報を記録する情報記録装置において、
前記追記型記録媒体に終了処理を行う終了処理手段と、
前記情報記録装置への電池の電力量を判別する電力量判別手段と、
を備え、
前記電力量判別手段は、前記電池に前記終了処理を行うに必要な電力量があるか否かを判別し、
前記電池に必要な電力量がある場合に、前記終了処理手段が終了処理を行うことを特徴とする情報記録装置。
【請求項９】
追記型情報記録媒体に情報を記録する情報記録装置において、
前記追記型記録媒体に対して記録した情報を再生専用装置で再生できるフォーマットに変換する変換手段と、
前記情報記録装置への電池の電力量を判別する電力量判別手段と、
を備え、
前記電力量判別手段は、前記電池に前記終了処理を行うに必要な電力量があるか否かを判別し、
前記電池に必要な電力量がある場合に、前記変換手段が前記フォーマットを行うことを特徴とする情報記録装置。
【請求項１０】
追記型情報記録媒体に情報を記録する情報記録装置において、
前記追記型記録媒体に対してファイナライズを行うファイナライズ手段と、
前記情報記録装置への電池の電力量を判別する電力量判別手段と、
を備え、
前記電力量判別手段は、前記電池に前記終了処理を行うに必要な電力量があるか否かを判別し、
前記電池に必要な電力量がある場合に、前記ファイナライズ手段がファイナライズを行うことを特徴とする情報記録装置。
【請求項１１】
追記型記録媒体に情報を記録する情報記録装置において、
前記追記型記録媒体に終了処理を行う終了処理手段と、
前記情報記録装置への電池の電力量を判別する電力量判別手段と、
を備え、
前記電力量判別手段は、前記電池に前記終了処理を行うに必要な電力量があるか否かを判別し、
前記電池に必要な電力量がない場合には、前記終了処理手段は終了処理を行わないことを特徴とする情報記録装置。
【請求項１２】
追記型情報記録媒体に情報を記録する情報記録装置において、
前記追記型記録媒体に対して記録した情報を再生専用装置で再生できるフォーマットに変換する変換手段と、
前記情報記録装置への電池の電力量を判別する電力量判別手段と、
を備え、
前記電力量判別手段は、前記電池に前記終了処理を行うに必要な電力量があるか否かを判別し、
前記電池に必要な電力量がない場合には、前記変換手段は前記フォーマット行わないことを特徴とする情報記録装置。
【請求項１３】
追記型情報記録媒体に情報を記録する情報記録装置において、
前記追記型記録媒体に対してファイナライズを行うファイナライズ手段と、
前記情報記録装置への電池の電力量を判別する電力量判別手段と、
を備え、
前記電力量判別手段は、前記電池に前記終了処理を行うに必要な電力量があるか否かを判別し、
前記電池に必要な電力量がない場合には、前記ファイナライズ手段は前記ファイナライズを行わないことを特徴とする情報記録装置。
【手続補正２】
【補正対象書類名】明細書
【補正対象項目名】００１１
【補正方法】変更
【補正の内容】
【００１１】
よって、本発明の目的は、記録媒体の終了処理の失敗を生じさせないようにすることである。
【手続補正３】
【補正対象書類名】明細書
【補正対象項目名】００１８
【補正方法】変更
【補正の内容】
【００１８】
【課題を解決するための手段】
上記課題を解決するために本発明は、電力が電池によって供給されるか、ＡＣ電源によって供給されるかを判別し、電力がＡＣ電源によって供給されている場合には終了処理を実行し、電力が電池によって供給される場合には、修了処理を実行しないこととする。また、終了処理をするに必要な電力が電池にあるか否かを判別し、電力がＡＣ電源によって供給されている場合には終了処理を実行し、電力が電池によって供給される場合には、修了処理を実行しないこととする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】０１１７
【補正方法】変更
【補正の内容】
【０１１７】
【発明の効果】
本発明によれば、記録媒体の終了処理の失敗を生じさせないようにすることができる。
【手続補正３２】
【補正対象書類名】明細書
【補正対象項目名】０１１８
【補正方法】削除
【補正の内容】
【手続補正３３】
【補正対象書類名】明細書
【補正対象項目名】０１１９
【補正方法】削除
【補正の内容】
【手続補正３４】
【補正対象書類名】明細書
【補正対象項目名】０１２０
【補正方法】削除
【補正の内容】
【手続補正３５】
【補正対象書類名】明細書
【補正対象項目名】０１２１
【補正方法】削除
【補正の内容】